(57)【要約】【課題】レールを必要とせず、又扉体の収納スペースが小さい開閉装置を提供する。【解決手段】開口部３に掛渡り設けられる部材１３を短部材１５，１６を葛折状に屈曲自在に連結して構成し、又同期リンク１７を前記短部材とは逆方向にリンク桿１８を葛折状に屈曲自在に連結して構成し、前記短部材と前記リンク桿とをそれぞれ枢着し、前記同期リンクの一端に位置するリンク桿の端部をガイドレール２２に沿って移動可能とした。【選択図】　　　　図１
2004019202.tif 000002
【特許請求の範囲】
【請求項１】
開口部に掛渡り設けられる部材を短部材を葛折状に屈曲自在に連結して構成し、又同期リンクを前記短部材とは逆方向にリンク桿を葛折状に屈曲自在に連結して構成し、前記短部材と前記リンク桿とをそれぞれ枢着し、前記同期リンクの一端に位置するリンク桿の端部をガイドレールに沿って移動可能としたことを特徴とする開閉装置。
【請求項２】
前記部材がパネルである請求項１の開閉装置。
【請求項３】
前記部材がシャッタカーテンをガイドするガイドレールである請求項１の開閉装置。
【請求項４】
前記部材が相対向して設けられ、前記短部材が枠体であり、相対向する枠間にパネルが設けられた請求項１の開閉装置。
【請求項５】
前記リンク桿の端部を駆動装置により移動可能とした請求項１の開閉装置。
【発明の詳細な説明】
【０００１】
【発明の属する技術分野】
本発明は出入口、建屋等の開口部を開閉する開閉装置、例えば横引き門扉等に関するものである。
【０００２】
【従来の技術】
図５に於いて、従来の開閉装置について説明する。
【０００３】
図５は門の開閉装置として設置された横引き門扉を示している。
【０００４】
図中、１，２は出入り口３を挾んで立設された門壁であり、前記出入り口３を横切り前記門壁１，２間に掛渡りレール４が地面に敷設され、該レール４に走行輪５を介して扉体６が軌乗している。前記出入り口３の開閉は前記扉体６を押し、又は引いて前記レール４に沿って移動させていた。
【０００５】
又、図６は門の前記出入口３に設けられた従来の他の開閉装置を示している。
【０００６】
該他の開閉装置では、扉体７を多数のリンク部材８を複数の平行四辺形が形成される様に枢着して構成したものであり、前記扉体７自体が伸縮することで、前記出入り口３を開閉する様にしたものである。
【０００７】
【発明が解決しようとする課題】
前者の従来例では、地面にレール４を敷設しなければならず、施工に手間が掛る。又、開閉状態がレール４の状態に左右され、該レール４にゴミ等が詰ると開閉に支障を来す虞れがあるので、該レール４のメンテナンスを必要とする。又、門壁２側に扉体６を収納するスペースを必要とし、狭い場所には設置することが困難である等、設置上の制約があった。
【０００８】
後者の従来例では、前記扉体７が伸縮するので、該扉体７を収納するスペースは少なくて済むが、リンク構造であるので、扉体７としては剛性が低く、円滑な開閉動作を行うには、例えば扉体７先端のリンク部材８等に走行輪５を設け、レール４に沿って走行させる様にする等の手段を講じる必要があった。又、リンク構造であるので、扉体７全体としては透視性がある。この為、設置条件としては門扉等内部が見えてもよい場合に限られ、倉庫、家屋の出入り口等密閉、遮蔽が要求される場所には不向きである等、設置上の制約があった。
【０００９】
本発明は斯かる実情に鑑み、レールを必要とせず、又扉体の収納スペースが小さく、更に密閉、遮蔽機能を具備した開閉装置を提供するものである。
【００１０】
【課題を解決するための手段】
本発明は、開口部に掛渡り設けられる部材を短部材を葛折状に屈曲自在に連結して構成し、又同期リンクを前記短部材とは逆方向にリンク桿を葛折状に屈曲資材に連結して構成し、前記短部材と前記リンク桿とをそれぞれ枢着し、前記同期リンクの一端に位置するリンク桿の端部をガイドレールに沿って移動可能とした開閉装置に係り、又前記部材がパネルである開閉装置に係り、又前記部材がシャッタカーテンをガイドするガイドレールである開閉装置に係り、又前記部材が相対向して設けられ、前記短部材が枠体であり、相対向する枠間にパネルが設けられた開閉装置に係り、又前記リンク桿の端部を駆動装置により移動可能とした開閉装置に係るものである。
【００１１】
【発明の実施の形態】
以下、図面を参照しつつ本発明の実施の形態を説明する。
【００１２】
図１は第１の実施の形態の要部概略を示す斜視図であり、図中１０は一方の門壁（図示せず）の端部に沿って立設された側柱であり、１１は他方の門壁（図示せず）の端部に沿って立設された側柱である。該側柱１１に軸１２を介して扉体１３が枢着されている。
【００１３】
該扉体１３は複数の小扉体１４が葛折状に屈曲可能に連結されたものであり、該小扉体１４はパネル１５の上下に強度部材として、例えば中空形状の型鋼材等から成る短部材としての枠体である水平枠１６，１６が設けられている。又、前記小扉体１４は隣接する前記水平枠１６，１６の角部で連結され、且つ同一の水平枠１６では対角に位置する角部で連結されている。而して、前記扉体１３は前記小扉体１４と小扉体１４とが密着する折畳み状態となると共に前記水平枠１６が直線となる迄伸長可能となっている。又、前記水平枠１６，１６が直線状態に連結されることで、出入り口３が閉鎖される。
【００１４】
前記扉体１３の上下には同期リンク１７，１７が取付けられている。該同期リンク１７は前記小扉体１４と同長のリンク桿１８，１８が前記小扉体１４とは逆の方向に葛折状に屈曲可能に連結されたものであり、前記リンク桿１８，１８の中点が前記水平枠１６，１６の中点に枢着されている。尚、前記同期リンク１７、リンク棹１８は上下のいずれか一方に設け、他方を省略することも可能である。
【００１５】
尚、前記リンク桿１８は全ての小扉体１４が同期連動した動きとなればよいので、必ずしも前記小扉体１４と同長である必要はない。
【００１６】
前記リンク桿１８の内、先端に位置するリンク桿１８ａは先端に位置する前記水平枠１６ａ，１６ａの枢着部迄の長さとなっており、又前記リンク桿１８の内、基端に位置するリンク桿１８ｂ，１８ｂにはスライド片１９，１９が枢着され、該スライド片１９，１９にガイドローラ２１，２１が回転自在に設けられている。前記側柱１１にはガイドレール２２，２２が前記扉体１３の開閉方向に対して略直角に設けられ、前記ガイドレール２２に前記ガイドローラ２１が転動自在に嵌合している。又、前記スライド片１９は前記ガイドレール２２に対してスライド方向にのみ可動し他の方向に関しては動きが拘束されている。尚、前記スライド片１９を省略し、前記リンク桿１８の基端に前記ガイドローラ２１を設けてもよい。
【００１７】
前記側柱１０の内側面には扉体受けブロック２３，２３が上下に固着され、該扉体受けブロック２３，２３は前記扉体１３が完全に閉鎖された状態で、前記水平枠１６ａ，１６ａの先端部が前記扉体受けブロック２３に嵌合する様になっている。又、隣接する前記水平枠１６，１６の一方の端部にはジョイント２４が内嵌固着され（図２参照）、該ジョイント２４は前記水平枠１６，１６が屈伸することで、他方の前記水平枠１６の端部に嵌脱する様になっている。
【００１８】
尚、先端の小扉体１４ａは開閉用の取手２５が設けられている。
【００１９】
以下、上記開閉装置の作動について説明する。
【００２０】
前記扉体１３が開放状態の時は、前記扉体１３、同期リンク１７共に折畳まれた状態となっている。尚、前記扉体１３の格納スペースは前記小扉体１４の枚数分だけ重ねたものとなる。又、前記ガイドレール２２を前記軸１２を中心に回転可能とすると共に前記ガイドレール２２を固定解除するロック機構を設けることで、前記出入り口３を解放後、前記ガイドレール２２のロックを解除し、前記扉体１３を折畳んだ状態で、更に該扉体１３を前記ガイドレール２２と共に回転させ、門壁の内側面に沿って格納することも可能である。
【００２１】
前記出入り口３を閉鎖する場合は、前記ガイドレール２２が前記扉体１３の開閉方向に対して直交する方向に固定される。
【００２２】
前記取手２５を持ち前記扉体１３を閉鎖方向に引張ると、該扉体１３が伸長する。又、前記小扉体１４ａの動きは、閉鎖方向移動と、回転動であり、又該小扉体１４ａの動きは前記同期リンク１７により全ての小扉体１４に伝達される。前記同期リンク１７により全ての小扉体１４が同期連動して伸縮するので、前記扉体１３が折曲る等の状態は発生しない。前記ガイドローラ２１は前記ガイドレール２２にガイドされ移動するので、前記扉体１３が前記軸１２を中心に回転することが抑止される。
【００２３】
前記扉体１３が前記出入り口３を閉鎖した状態では、前記水平枠１６は一直線となり、前記ジョイント２４は隣接する水平枠１６，１６に掛渡って嵌合する。又、前記水平枠１６ａ，１６ａは前記扉体受けブロック２３，２３に嵌合する。而して、全ての水平枠１６は１本の水平枠として、前記扉体１３に掛る水平方向、鉛直方向の加重を負担する。尚、前記水平枠１６ａと側柱１０間には、必要に応じて適宜鍵等が設けられる。
【００２４】
上記実施の形態では、前記扉体１３を手動で開閉する様にしたが、駆動装置を設け、自動により開閉することも可能である。即ち、前記ガイドレール２２に流体圧シリンダ、或は電動シリンダ（図示せず）を設け、該シリンダにより前記ガイドローラ２１を前記ガイドレール２２に沿って移動する様にしてもよい。
【００２５】
前記シリンダにより前記ガイドローラ２１を移動することで前記扉体１３が開閉する。又、前記パネル１５は、前記出入り口３から内部が透視されることとを遮蔽する。尚、透視性が要求される場合、前記パネル１５としてパンチングメタルを用いるか、或はアルミ鋳物性の門扉等を嵌込んでもよい。
【００２６】
図３は前記水平枠１６，１６間、或は前記パネル１５，１５間に伸縮可能なカバー２６を設けたものである。
【００２７】
尚、前記水平枠１６，１６の連結箇所に折畳み方向に反発するスプリングを設け、又前記水平枠１６，１６の連結箇所にガイドローラを設け、前記水平枠１６内部に基端から先端迄前記ガイドローラに掛回したワイヤを設けることで、前記扉体１３の伸縮を行わせることもできる。即ち、前記ワイヤを巻取ることで、前記扉体１３が伸長し、前記ワイヤを緩めることで、前記スプリングの反発力で前記扉体１３が折畳まれる。
【００２８】
又、上記実施の形態で、前記水平枠１６を省略し、前記パネル１５同士を直接蝶番等で屈曲自在に連結し、該パネル１５に前記同期リンク１７のリンク桿１８を枢着してもよい。この場合、前記パネル１５が短部材として機能する。
【００２９】
図４は第２の実施の形態を示すものであり、本発明をシャッタの中柱に実施した場合を示している。尚、基本的な構造については上記した実施の形態と同様である。
【００３０】
中柱２８はガイドレール２９，３１を背中合せに配設し、該ガイドレール２９とガイドレール３１との間に同期リンク３２を設けたものである。
【００３１】
前記ガイドレール２９は短部材である短ガイドレール３３を葛折状に屈曲自在に連結し、同様に前記ガイドレール３１は短部材である短ガイドレール３４を葛折状に屈曲自在に連結したものであり、前記ガイドレール３１は前記ガイドレール２９と対称的な構成となっている。
【００３２】
前記同期リンク３２はリンク桿３５を前記短ガイドレール３３、短ガイドレール３４とは逆の方向に屈曲自在に連結したものであり、前記リンク桿３５の中点が前記短ガイドレール３３、短ガイドレール３４の中点に枢着されている。
【００３３】
該短ガイドレール３３、短ガイドレール３４の内、上部に位置する短ガイドレール３３ａ、短ガイドレール３４ａの上端が図示しないシャッタボックスのブラケット或は建屋のまぐさに軸３６を介して枢着されている。
【００３４】
上部に位置する前記リンク桿３５ａの上端にはスライド片３７を介してガイドローラ３８が設けられ、該ガイドローラ３８は図示しないシャッタボックスのブラケット或は建屋のまぐさに設けられたガイドレール３９に転動自在に嵌合している。前記ガイドレール２９，３１はシャッタカーテン（図示せず）に対して垂直な面内で屈曲し、前記ガイドレール３９はシャッタカーテンに対して垂直方向に延びている。
【００３５】
尚、図示していないが開口部に臨んで設けられた側柱には前記短ガイドレール３３、短ガイドレール３４に対向するガイドレールが設けられている。
【００３６】
前記中柱２８を設置するには下端の短ガイドレール３３ｂ、短ガイドレール３４ｂを下方に引下ろす。前記中柱２８が伸長し、直線状態となり、下端は地面に固定される。又、前記短ガイドレール３３ａ、短ガイドレール３４ａの上端は図示しないシャッタボックス内のガイドレールと連続する。而して、シャッタカーテン（図示せず）は前記ガイドレール２９又はガイドレール３１と対向する建屋側のガイドレールに沿って昇降する。
【００３７】
前記シャッタカーテンが図示しないシャッタボックスに格納されると、前記中柱２８の下端の固定を解除し、下端の短ガイドレール３３ｂ，３４ｂを持上げると前記ガイドレール２９、ガイドレール３１、前記同期リンク３２が屈曲し、前記シャッタボックスの下面に沿って折畳まれ、収納される。折畳まれる過程で、前記リンク桿３５ａの動きが前記ガイドレール３９により規制されるので、前記中柱２８は揺動することなく、上下方向に伸縮する。
【００３８】
上記第２の実施の形態では前記中柱２８の設置、収納を手動により行ったが、自動で行うことも可能である。前記ガイドローラ３８を電動シリンダ或は無端ベルトを介してモータにより駆動させることで、前記リンク桿３５ａが揺動させ、前記同期リンク３２を伸縮させることで、前記中柱２８を伸縮させてもよい。
【００３９】
該第２の実施の形態では、中柱を取外し、別の場所に格納する面倒さがなく、又中柱の設置、取外し作業が簡単である。又、中柱の設置、取外し作業が自動で行える。
【００４０】
尚、第２の実施の形態でガイドレールを上下方向に設置する場合を説明したが、水平のガイドレールに対して実施してもよい。これは、第１の実施の形態で上側の水平枠１６をガイドレールに変えたものである。この場合、上吊りスライド式の開閉装置でガイドレール自体も格納可能となる。
【００４１】
更に、第２の実施の形態で、例えばガイドレール２９を開口部の両側柱に相対向して設け、短ガイドレール３３をパネルの側枠として使用し、前記各短ガイドレール３３間にパネルを掛渡して設けることで、折畳みにより出入口を開閉するパネルシャッタとしても実施できる。この場合、パネルのガイドレールが不要となる。
【００４２】
【発明の効果】
以上述べた如く本発明によれば、開口部に掛渡り設けられる部材を短部材を葛折状に屈曲自在に連結して構成し、又同期リンクを前記短部材とは逆方向にリンク桿を葛折状に屈曲自在に連結して構成し、前記短部材と前記リンク桿とをそれぞれ枢着し、前記同期リンクの一端に位置するリンク桿の端部をガイドレールに沿って移動可能としたので、前記部材がガイドレールである場合は、設置作業が簡単となると共に開放時には開口部からガイドレールをなくすことができ、開口部を広く利用できる。又、部材がシャッタカーテン等開口部を閉鎖するものである場合は、ガイドレールを設けることなく、開閉が可能となり、又シャッタカーテンの収納スペースが節約できる等の優れた効果を発揮する。
【図面の簡単な説明】
【図１】本発明の第１の実施の形態を示す要部斜視図である。
【図２】該第１の実施の形態に於ける水平枠の連結部分の断面図である。
【図３】該第１の実施の形態に於ける水平枠の連結部分の平面図である。
【図４】本発明の第２の実施の形態を示す要部斜視図である。
【図５】従来例の説明図である。
【図６】他の従来例の説明図である。
【符号の説明】
３　　　　　出入り口
１３　　　　扉体
１４　　　　小扉体
１５　　　　パネル
１６　　　　水平枠
１７　　　　同期リンク
１８　　　　リンク桿
２１　　　　ガイドローラ
２２　　　　ガイドレール
２８　　　　中柱
３２　　　　同期リンク
３３　　　　短ガイドレール
３４　　　　短ガイドレール
３５　　　　リンク桿
３８　　　　ガイドローラ
３９　　　　ガイドレール
【図１】
2004019202.tif 000003
【図２】
2004019202.tif 000004
【図３】
2004019202.tif 000005
【図４】
2004019202.tif 000006
【図５】
2004019202.tif 000007
【図６】
2004019202.tif 000008